(57)【要約】【課題】この発明は、車両の全周において警報性を維持しつつ、且つ、警報音により乗員に与える威圧感、不快感を軽減できる車両のスマートキーレス装置を提供することを目的とする。【解決手段】車両に搭載した車載機の識別コードと、乗員が携帯する携帯機の識別コードとが一致した時に車両のドアをロック・アンロックする車両のスマートキーレス装置であって、エンジン始動手段が作動状態で上記携帯機を車外に持ち出した時に警報音を発して警報を行う（ｓ９）警報手段と、上記携帯機を車外に持ち出した位置を検出する（ｓ６）持ち出し位置検出手段と、該持ち出し位置検出手段により検出した位置に基づいて上記警報音に関連する出力量を変化させる（ｓ７、ｓ８）警報音変更手段とを備えた。【選択図】図３
2008106579.tif 000002
【特許請求の範囲】
【請求項１】
車両に搭載した車載機の識別コードと、乗員が携帯する携帯機の識別コードとが一致した時に車両のドアをロック・アンロックする車両のスマートキーレス装置であって、
エンジン始動手段が作動状態で上記携帯機を車外に持ち出した時に警報音を発して警報を行う警報手段と、
上記携帯機を車外に持ち出した位置を検出する持ち出し位置検出手段と、
該持ち出し位置検出手段により検出した位置に基づいて上記警報音に関連する出力量を変化させる警報音変更手段とを備えた
車両のスマートキーレス装置。
【請求項２】
上記持ち出し位置検出手段により検出した位置が上記警報手段の設置位置から離れている場合に上記出力量を大きくし、上記警報手段の設置位置に近い場合に上記出力量を小さくする
請求項１記載の車両のスマートキーレス装置。
【請求項３】
車室内の乗員の位置を検出する乗員位置検出手段を備え、
上記警報音変更手段は、上記持ち出し位置検出手段により検出した位置と、上記乗員位置検出手段により検出した車室内の乗員の位置とに基づいて上記出力量を変化させる
請求項１記載の車両のスマートキーレス装置。
【請求項４】
上記持ち出し位置検出手段は、上記携帯機を車外に持ち出した位置を上記車載機と上記携帯機との通信状態に基づいて判定する
請求項１〜３のいずれか一項に記載の車両のスマートキーレス装置。
【請求項５】
上記持ち出し位置検出手段は、上記携帯機を車外に持ち出した位置を、上記携帯機から上記車載機に送信される通信信号の電波の強さに基づいて判定する
請求項４記載の車両のスマートキーレス装置。
【請求項６】
上記持ち出し位置検出手段は、上記携帯機を車外に持ち出した位置を最後に開閉した車両のドアの位置に基づいて判定する
請求項１〜３のいずれか一項に記載の車両のスマートキーレス装置。
【請求項７】
上記警報手段を、車室前側の左右一方に設けた
請求項１〜６のいずれか一項に記載の車両のスマートキーレス装置。
【請求項８】
上記警報音変更手段により変化する上記出力量は音量である
請求項１〜７のいずれか一項に記載の車両のスマートキーレス装置。
【発明の詳細な説明】
【技術分野】
【０００１】
この発明は、車両に搭載した車載機の識別コードと、乗員が携帯する携帯機の識別コードとが一致した時に車両のドアをロック・アンロックする車両のスマートキーレス装置に関する。
【背景技術】
【０００２】
近年、スマートキーレスシステムが実用化されている。スマートキーレスシステムでは、携帯機が従来のメカニカルキーの役割を果たす。例えば、カード状の携帯機をポケットやバッグに入れて携帯していれば、キーを取り出して操作しなくても、ドアのロック・アンロックやエンジン始動等の操作を行うことができる（特許文献１参照）。
【０００３】
このような機能を実現するため、携帯機には、車載機側の送信アンテナからの通信信号に応じて専用の識別コードを送信する送信アンテナが組み込まれている。また、車載機側には、携帯機から受信した上記識別コードが車載機の識別コードと一致した場合に、ドアのロック・アンロック等の操作を許可するスマートキーレス制御ユニットが搭載されている。
【０００４】
このようなスマートキーレスシステムでは、エンジンの作動中であっても携帯機を車外に持ち出すことが可能であるために、携帯機が車外に持ち出された場合には、次回にドアのロック・アンロック制御やエンジンの再始動を行おうとしても、携帯機が手元にないためにできないという事態が生じる可能性がある。
【０００５】
従って、エンジン始動手段の所定の作動状態（アクセサリＯＮ状態やエンジン作動中の状態を意味する）において携帯機が車外に持ち出された場合には、そのことを乗員に知らせる必要がある。これを実現するために、例えば、所定の警報手段を備え、エンジン始動手段の作動状態で携帯機が車外に持ち出されると、その事実を持ち出し者に警報するという手法が提案されている。
【０００６】
【特許文献１】特開２００２−１９４９３７号公報
【発明の開示】
【発明が解決しようとする課題】
【０００７】
上述した警報手段による警報の形態としては、例えば警報音を発することが考えられる。しかしながら、警報音の指向性、上記警報手段の設置位置からの距離等により、車両全周で警報音の聞こえ方を均一にすることは困難であり、上記警報手段と、上記持ち出し者が携帯機を持ち出した位置との位置関係、車室内に残った乗員との位置関係（例えば、運転席側、助手席側、或いは後席側等）により、それぞれ上記警告音の聞こえ方が異なるという問題がある。
【０００８】
即ち、上記携帯機を車外に持ち出した位置によっては、上記警告音が聞き取りづらく、上記持ち出し者が警報音に気づかずにそのまま携帯機を持ち去ってしまったり、持ち出し者や車室内に残った乗員の位置によっては、上記警告音が過度なものとなって威圧感、不快感を与えるものとなったりする虞がある。
【０００９】
この発明は、車両の全周において警報性を維持しつつ、且つ、警報音により乗員に与える威圧感、不快感を軽減できる車両のスマートキーレス装置を提供することを目的とする。
【課題を解決するための手段】
【００１０】
この発明の車両のスマートキーレス装置は、車両に搭載した車載機の識別コードと、乗員が携帯する携帯機の識別コードとが一致した時に車両のドアをロック・アンロックする車両のスマートキーレス装置であって、エンジン始動手段が作動状態で上記携帯機を車外に持ち出した時に警報音を発して警報を行う警報手段と、上記携帯機を車外に持ち出した位置を検出する持ち出し位置検出手段と、該持ち出し位置検出手段により検出した位置に基づいて上記警報音に関連する出力量を変化させる警報音変更手段とを備えたことを特徴とする。
【００１１】
この構成によれば、上記携帯機を持ち出した位置に基づいて上記警報音に関する出力量を変化させることにより、車両の全周において警報性を維持しつつ、携帯機の持ち出し者や、車室内に残った他の乗員に与える上記警報音の威圧感、不快感を軽減することができる。
【００１２】
この発明の一実施態様においては、上記持ち出し位置検出手段により検出した位置が上記警報手段の設置位置から離れている場合に上記出力量を大きくし、上記警報手段の設置位置に近い場合に上記出力量を小さくすることを特徴とする。
【００１３】
この構成によれば、上記警報手段の設置位置から携帯機を車外に持ち出した位置までの距離に応じた出力量の最適制御が行える。
【００１４】
この発明の一実施態様においては、車室内の乗員の位置を検出する乗員位置検出手段を備え、上記警報音変更手段は、上記持ち出し位置検出手段により検出した位置と、上記乗員位置検出手段により検出した車室内の乗員の位置とに基づいて上記出力量を変化させることを特徴とする。
【００１５】
この構成によれば、車室内に乗員が残っている場合、携帯機を持ち出した位置、及び車室内に残された乗員の位置の中で、上記警報手段の設置位置に最も近いものに応じて上記出力量を選択することにより、警報性を維持しつつも、警報音の出力量を必要最小限にとどめることができるため、車室内に残された乗員への威圧感、不快感をより軽減することができる。
【００１６】
この発明の一実施態様においては、上記持ち出し位置検出手段は、上記携帯機を車外に持ち出した位置を上記車載機と上記携帯機との通信状態に基づいて判定することを特徴とする。
【００１７】
この構成によれば、上記携帯機の位置の特定によって携帯機を持ち出した位置をより正確に検出することができるため、結果として、上記出力量の制御をより最適なものとすることができる。
【００１８】
この発明の一実施態様においては、上記持ち出し位置検出手段は、上記携帯機を車外に持ち出した位置を、上記携帯機から上記車載機に送信される通信信号の電波の強さに基づいて判定することを特徴とする。
【００１９】
この構成によれば、上記車載機から上記携帯機に通信信号を送信する送信エリア内において、携帯機を持ち出した位置をさらに細かく検出できるため、上記出力量の制御をより最適なものとすることができる。
【００２０】
この発明の一実施態様においては、上記持ち出し位置検出手段は、上記携帯機を車外に持ち出した位置を最後に開閉した車両のドアの位置に基づいて判定することを特徴とする。
【００２１】
この構成によれば、最後に開操作されたドアの位置に基づいて携帯機を持ち出した位置を判定することにより、車室内に携帯機が存在していなければ、最後に開操作したドアの位置を携帯機を持ち出した位置であると間接的に判定することができる。  
これにより、上記車載機と携帯機との通信のための制御を簡素化することができるとともに、上記位置の判定に要する時間を削減することができる。
【００２２】
この発明の一実施態様においては、上記警報手段を、車室前側の左右一方に設けたことを特徴とする。
【００２３】
上記警報手段が車両に設置される場合、他の車載部品の配置等が優先され、上記警報手段の設置位置が車室前側の左右一方に限定される場合がある。このような場合、上記警報手段が車両の略中央に設置される場合に比べ、左右で警報音の聞こえ方に偏りが生じる可能性があるが、この構成によれば、上記警報音変更手段によって車両の左右で警報音の出力量を最適に制御することができる。
【００２４】
この発明の一実施態様においては、上記警報音変更手段により変化する上記出力量は音量であることを特徴とする。
【００２５】
この構成によれば、上記警報手段の警報音が聞き取りにくい位置であっても、音量を適宜変化させることで携帯機の持ち出し者の聴覚を確実に刺激することができ、警報性を維持することができる。
【発明の効果】
【００２６】
この発明によれば、上記携帯機を持ち出した位置に基づいて上記警報音に関する出力量を変化させることにより、車両の全周において警報性を維持しつつ、携帯機の持ち出し者や、車室内に残った他の乗員に与える上記警報音の威圧感、不快感を軽減することができる。
【発明を実施するための最良の形態】
【００２７】
以下、図面に基づいて本発明の実施形態を詳述する。  
図１は、本発明の実施形態に係る車両のスマートキーレス装置の構成を示すブロック図であり、図２は、車載機を搭載した車両Ｘの概略図である。このスマートキーレス装置は、スマートキーレス制御ユニット１により構成される車載機と、後述する携帯機識別コードを無線で送信する携帯機識別コード送信手段としての携帯機識別コード送信機２ａを内蔵する携帯機２とで構成されている。
【００２８】
ここで、本実施形態では、例えば５個のスマートキーレスＬＦ送信アンテナ３ａ〜３ｅが、図２において一点鎖線で示す車両Ｘに設置される。３ａは運転席（以下「Ｄ席」という）４ａ近傍に設けられる車外Ｄ席用アンテナ、３ｂは助手席（以下「Ｐ席」という）４ｂ近傍に設けられる車外Ｐ席用アンテナ、３ｃは後席４ｃのＤ席４ａ後部側近傍に設けられる車外後席用右アンテナ、３ｄは後席４ｃのＰ席４ｂ後部側近傍に設けられる車外後席用左アンテナ、３ｅは車室Ｒ（図中の一点鎖線により囲まれた領域）内に設けられる車室内アンテナである。目的に応じてこれらの送信アンテナを切換えることにより、異なる送信エリア（即ち、携帯機２の検知エリア）が形成される。なお、本実施形態では、Ｄ席４ａ側を車両Ｘの右側、Ｐ席側を車両Ｘの左側と定義する。また、以下、スマートキーレスＬＦ送信アンテナ３ａ〜３ｅについて、これらを区別するために、車外Ｄ席用アンテナ３ａ、車外Ｐ席用アンテナ３ｂ…（図１参照）とも称することとする。
【００２９】
図２において太い実線で示す領域Ａ、Ｂ、Ｃ、Ｄはそれぞれ、車外Ｄ席用アンテナ３ａ、車外Ｐ席用アンテナ３ｂ、車外後席用右アンテナ３ｃ、車外後席用左アンテナ３ｄの送信エリアであり、これら４本のアンテナによって車両Ｘの側部外側のエリアがカバーされる。また、車室内アンテナ３ｅによって、車室Ｒ内のエリアがカバーされる。
【００３０】
図１に示す携帯機２の携帯機識別コード送信機２ａより送信される携帯機識別コードは、携帯機２毎に異なるコードが設定されている。そして、この携帯機識別コード送信機２ａは、車両の各スマートキーレスＬＦ送信アンテナ３ａ〜３ｅのＬＦ信号を受信可能である。
【００３１】
これにより、乗員が携帯機２を携帯した状態で、車室Ｒの外の領域Ａ〜Ｄ内に居る時には、携帯機２はＬＦ信号を受信することにより、携帯機識別コード送信機２ａより携帯機識別コードが送信される。そして、車両の車室Ｒの外部に設置された、図１に示す車室外アンテナ（携帯機識別コード受信機）５を介して上記車載機は上記携帯機識別コードを受信する。携帯機識別コード送信機２ａより送信される無線信号としては、例えば、ＬＦ信号よりも周波数領域の高いＵＨＦ信号等のＲＦ信号が用いられる。
【００３２】
スマートキーレス制御ユニット１は、車室外アンテナ５を介して受信した携帯機識別コードが、予めスマートキーレス制御ユニット１の記憶装置１ａに登録記憶された携帯機識別コード（即ち、車載機の識別コード）と一致するか否かにより、携帯機２が当該車両の正規のものであるか否かを判定し、携帯機２が正規のものである（受信した携帯機識別コードが登録された携帯機識別コードと一致する）との判定である正規判定時には、車両と乗員との距離、つまり乗員が携帯する携帯機２の携帯機識別コード送信機２ａより送信された無線信号の電波の強さ、即ち受信電界強度に応じて、ドアロックアクチュエータ６、またはトランクリッドアクチュエータ（不図示）を作動させて、図２に示す車両Ｘのドア７ａ〜７ｄの他、トランクリッド（不図示）のロック・アンロックを行う。
【００３３】
即ち、車両Ｘと乗員との距離が所定値よりも小さい（上記受信電界強度が所定値よりも大きい）時には、ドア７ａ〜７ｄ、トランクリッドをアンロックする一方、車両と乗員との距離が所定値以上である（上記受信電界強度が所定値以下である）時には、ドア７ａ〜７ｄ、トランクリッドをロックする。なお、ドア７ａ〜７ｄ、トランクリッドのロック・アンロックは、携帯機２のロック・アンロックスイッチ（不図示）や、ドアノブ等に設けられたリクエストスイッチ（不図示）等によって制御するように構成することも可能である。
【００３４】
ここで、ドア７ａ〜７ｄは、それぞれＤ席４ａ用、Ｐ席４ｂ用、後席４ｃ右側用、後席４ｃ左側用であり、これらドア７ａ〜７ｄに対応してスマートキーレスＬＦ送信アンテナ３ａ〜３ｄが配置されている。
【００３５】
また、本実施形態では、各ドア７ａ〜７ｄに対応してこれらの開閉を検知するドアスイッチ８ａ〜８ｄが設けられ、スマートキーレス制御ユニット１は、これらの検知信号を受信可能としている。
【００３６】
ところで、本実施形態では、携帯機２を車外への持ち出した持ち出し者に警報するための警報ブザー９が設けられており、ブザー音量変更制御回路１０により制御される音量で警報音を発することができるようになっている。スマートキーレス制御ユニット１は、ブザー音量変更制御回路１０に制御信号を送信可能であり、後述するＡＣＣ電源ライン１１、ＩＧ電源ライン１２への通電状態に基づいて、上記持ち出し者へ警報を行うための制御信号を送信すべき状態にあるか否かを判定するようになっている。
【００３７】
ＡＣＣ電源ライン１１、ＩＧ電源ライン１２は、図２に示すイグニッションスタータ１３の操作によって電源（不図示）から電力供給がなされ、通電が開始されるようになっている。イグニッションスタータ１３は、エンジンを始動させるための操作手段であり、そのキーノブ１３ａが回転操作されることによって、アクセサリ（ＡＣＣ）ＯＦＦ、アクセサリＯＮ、イグニッション（ＩＧ）ＯＮ、イグニッションＳＴＡＲＴの４つの操作を切換えることができる。
【００３８】
ＡＣＣ電源ライン１１、ＩＧライン１２は、イグニッションスタータ１３のアクセサリのＯＮ操作時、イグニッションＯＮ操作時にそれぞれ通電が開始され、イグニッションスタータ１３がイグニッションＳＴＡＲＴへ操作されると、エンジンの始動が開始される。
【００３９】
ここで、イグニッションスタータ１３のキーノブ１３ａのロック解除制御について説明する。
【００４０】
車両Ｘを駐車させた状態においては、イグニッションスタータ１３はアクセサリＯＦＦの位置に操作されており、イグニッションスタータ１３のキーノブ１３ａ及びステアリング１４はロックされている。
【００４１】
先ず、車両に乗車した運転者は、キーノブ１３ａを押圧操作する。キーノブ１３ａを押圧操作すると、車室内アンテナ３ｅからＬＦ信号が送信される。このＬＦ信号に対して携帯機２から携帯機識別コードが返信され、携帯機識別コードの照合が行われる。
【００４２】
この携帯機識別コードが、上記車載機の識別コードと一致することによって、キーノブ１３ａのロックが解除され、イグニッションスタータ１３を、アクセサリＯＮ、イグニッションＯＮ、イグニッションＳＴＡＲＴへ回転操作することができるようになる。以下、アクセサリＯＮ、イグニッションＯＮ、イグニッションＳＴＡＲＴのいずれかの状態（ＡＣＣ電源ライン１１、ＩＧライン１２のいずれかの通電状態）を、イグニッションスタータ１３の作動状態という。なお、イグニッションスタータ１３は、回転操作を伴うもの以外に、プッシュボタンにより構成され、押下操作を伴うものであってもよい。
【００４３】
ところで、本実施形態において警報ブザー９は、図２に示すように、車室Ｒ前側のＤ席４ａ（右側）前方の位置に設けられており、例えば、不図示のフェンダパネルの裏側（内側）に取付けられる。この場合、警報ブザー９から警報音が発せられた時、警報ブザー９に近いＤ席４ａの乗員、つまり運転者にとっては音圧が大き過ぎ、逆に、警報ブザー９から遠い後席４ｃ左側の乗員にとっては音圧が小さ過ぎることになる。つまり、警報ブザー９から発せられる警報音は、車両Ｘの全周において聞こえ方（音圧）が均一になることはなく、それぞれの位置で異なってしまう。
【００４４】
従って、携帯機２を車外に持ち出した位置（以下、持ち出し位置と略記する）によっては、上記警告音が聞き取りづらく、上記持ち出し者が警報音に気づかずにそのまま携帯機を持ち去ってしまったり、持ち出し者や車室Ｒ内に残った乗員の位置によっては、上記警告音が威圧感、不快感を与えるものとなったりする虞がある。
【００４５】
そこで、本実施形態では、スマートキーレス制御ユニット１が携帯機２の持ち出し位置に基づいた制御信号をブザー音量変更制御回路１０に送信し、上記警報音の出力量となる音量を変化させるようになっている。
【００４６】
スマートキーレス制御ユニット１は、ドア７ａ〜７ｄの開閉の変化があった時、車外の各スマートキーレスＬＦ送信アンテナ３ａ〜３ｄから順次ＬＦ信号を送信させるようになっている。携帯機２から応答があった場合（携帯機識別コードが送信された場合）、ＬＦ信号の送信により携帯機２からの応答を得ることのできたスマートキーレスＬＦ送信アンテナ（３ａ〜３ｄ）を特定することで携帯機２の位置を判定できるため、これにより、スマートキーレス制御ユニット１は、上記持ち出し位置を判定できる。
【００４７】
以下、スマートキーレス制御ユニット１により実行される警報ブザー９の警報音量変更制御について、図３のフローチャートを参照しながら説明する。
【００４８】
先ず、スマートキーレス制御ユニット１は、イグニッションスタータ１３の回転操作により、ＡＣＣ電源ライン１１かＩＧ電源ライン１２かが通電状態であるか否か（イグニッションスタータ１３が作動状態であるか否か）を判定する（ステップｓ１）。ここで、いずれも通電されていない状態であると判定した場合には（ステップｓ１：ＮＯ）、処理をリターンする。
【００４９】
一方、スマートキーレス制御ユニット１は、ＡＣＣ電源ライン１１、ＩＧ電源ライン１２のいずれかが通電状態であると判定した場合には（ステップｓ１：ＹＥＳ）、ステップｓ２に進み、各ドア７ａ〜７ｄのいずれかで開閉操作がなされたか否かを判定する。具体的には、各ドアスイッチ８ａ〜８ｄの検知信号に基づいて上記開閉を判定する。
【００５０】
ここで、スマートキーレス制御ユニット１は、ドアスイッチ８ａ〜８ｄによる上記検知信号に変化がなく、各ドア７ａ〜７ｄのいずれも開閉操作されていないと判定すると（ステップｓ２：ＮＯ）、処理をリターンし、ドアスイッチ８ａ〜８ｄのいずれかの検知信号に変化があり、ドア７ａ〜７ｄのいずれかで開閉操作されたと判定すると（ステップｓ２：ＹＥＳ）、ステップｓ３に進み、ＬＦ送信車室内アンテナ３ｅからＬＦ信号を送信させる。
【００５１】
ここで、携帯機２から正規の携帯機識別コードを車室外アンテナ５に送信する応答があった時（ステップｓ４：ＹＥＳ）、スマートキーレス制御ユニット１は、携帯機２が車室Ｒ内に存在しており、車外へは持ち出されていないと考えられるため、処理をリターンする。
【００５２】
一方、携帯機２から正規の携帯機識別コードを車室外アンテナ５に送信する応答がなかった時（ステップｓ４：ＮＯ）、スマートキーレス制御ユニット１は、乗員が各ドア７ａ〜７ｄのいずれかを開操作して、携帯機２を所持したまま車外に持ち出したと考えられるため、車外の各ＬＦ送信アンテナ３ａ〜３ｄに順次ＬＦ信号を送信させる。（ステップｓ５）。
【００５３】
ここで、携帯機２から正規の携帯機識別コードを車室外アンテナ５に送信する応答があった時（ステップｓ６：ＹＥＳ）、スマートキーレス制御ユニット１は、ＬＦ信号の送信により携帯機２からの応答を得ることのできたＬＦ送信アンテナ（３ａ〜３ｄ）を特定することで携帯機２の位置を判定し、位置検出情報を生成する。これにより、携帯機２を所持したまま車外に持ち出した持ち出し位置を判定する。
【００５４】
そして、スマートキーレス制御ユニット１は、上記持ち出し位置と警報音の音量との関係を予め設定したマップに基づいて、警報ブザー９から発するのに適切な音量を選択する（ステップｓ７）。
【００５５】
例えば、上記マップは、スマートキーレス制御ユニット１内の記憶装置１ａ内に記憶されており、Ｄ席４ａ用のドア７ａから携帯機２が車外に持ち出された場合、警報ブザー９に最も近接した位置であるため、警報音量のレベルは小さく設定され、Ｐ席４ｂ用のドア７ｂ、または、後席４ｃ右側用のドア７ｃから持ち出された場合は、やや大きめの音量に設定され、さらに、警報ブザー９から最も離れた位置にある後席４ｃ左側用のドア７ｄから持ち出された場合には、より大きめの音量となるように設定されている。
【００５６】
即ち、上記持ち出し位置が警報ブザー９の設置位置から離れている場合に音量を大きくし、警報ブザー９の設置位置に近い場合に音量を小さくするようになっている。
【００５７】
一方、携帯機２からの正規の携帯機識別コードを車室外アンテナ５に送信する応答がなかった時は（ステップｓ６：ＮＯ）、既に携帯機２の上記持ち出し者が領域Ａ〜Ｄより外側に位置し、携帯機２（持ち出し者）の位置が特定できなくなった状態であると考えられるため、スマートキーレス制御ユニット１は、念のため、警報ブザー９から発することのできる最大の音量を選択する（ステップｓ８）。
【００５８】
ステップｓ７、ｓ８において音量を選択すると、スマートキーレス制御ユニット１は、上記選択した音量に対応する制御信号をブザー音量変更制御回路１０に送信し、警報ブザー９を吹鳴させる（ステップｓ９）。
【００５９】
仮に、警報性を優先して、音量の設定を、後席４ｃ左側用のドア７ｄを考慮した大音量に固定した場合、例えば、Ｄ席４ａに運転者、Ｐ席４ｂ、後席４ｃ右側に乗員が乗車しており、いずれかが携帯機２を持ち出したとすると、その音量は、過度に大きなものとなってしまう。これは、持ち出し者や車室Ｒ内に残った持ち出し者以外の乗員に対して威圧感、不快感を与えることになる。
【００６０】
従って、本実施形態のように、持ち出し位置に基づいて音量を制御することにより、車両Ｘの全周において警報性を維持しつつ、警報ブザー９に近い位置から携帯機２が持ち出された場合には、音量を必要最小限とする等の適宜の変更制御が行えるため、持ち出し者や車室Ｒ内に残った他の乗員に与える上記警報音の威圧感、不快感を軽減することができる。
【００６１】
また、上記マップのように、上記持ち出し位置が、警報ブザー９の設置位置から離れている場合に音量を大きくし、警報ブザー９の設置位置に近い場合に音量を小さくすることにより、警報ブザー９の設置位置から上記持ち出し位置までの距離に応じた音量の最適制御が行える。
【００６２】
また、ＬＦ信号の送信により携帯機２からの応答を得ることのできた車外のスマートキーレスＬＦ送信アンテナ（３ａ〜３ｄ）を特定することで携帯機２の位置を検出し、携帯機２とスマートキーレスＬＦ送信アンテナ３ａ〜３ｄとの通信状態に基づいて上記持ち出し位置を判定することにより、携帯機２の位置の特定によって上記持ち出し位置をより正確に検出することができるため、結果として、より最適な音量変更制御を行うことができる。
【００６３】
ところで、車室外アンテナ５が受信する携帯機２からのＲＦ信号は、携帯機２が車室外アンテナ５から離れる程その受信電界強度は小さくなる。そこで、この特性を利用して、警報ブザー９の設置位置と上記持ち出し位置との間の距離を判定し、受信電界強度（単位Ｖ／ｍ）と音量（単位ｄＢ）との関係を予め設定したマップに基づき音量変更制御を行うようにしてもよい。
【００６４】
車外の各スマートキーレスＬＦ送信アンテナ３ａ〜３ｄによって上記持ち出し位置を検出していることに加え、これらＬＦ送信アンテナ３ａ〜３ｄに対応する領域Ａ〜Ｄ内において上記持ち出し位置をさらに細かく検出できるため、より最適な音量変更制御を行うことができる。
【００６５】
また、上述した実施形態では、携帯機２とスマートキーレスＬＦ送信アンテナ３ａ〜３ｄとの通信状態に基づいて音量変更制御を行うことにより、携帯機２の持ち出し位置を判定するようになっているが、本発明においては必ずしもこれに限定されない。例えば、イグニッションスタータ１３の作動状態において、最後に開閉されたドア（７ａ〜７ｄ）に基づいて間接的に上記持ち出し位置を判定するようにしてもよい。
【００６６】
以下、スマートキーレス制御ユニット１により実行される警報ブザー９の警報音量変更制御の別の実施形態について、図４のフローチャートを参照しながら説明する。なお、以下の実施形態において、最初の実施形態と同様の構成要素については同一の符号を付して、その説明を省略する。
【００６７】
図４に示すフローチャートにおけるステップｓ２１は、図３に示すフローチャートにおけるステップｓ１に対応する。
【００６８】
ステップｓ２１において、スマートキーレス制御ユニット１が、ＡＣＣ電源ライン１１、ＩＧ電源ライン１２のいずれかが通電状態であると判定した場合には（ステップｓ２１：ＹＥＳ）、各ドアスイッチ８ａ〜８ｄの検知信号に基づいて、各ドア７ａ〜７ｄのいずれかで開操作がなされたか否かを判定する（ステップｓ２２）。ここで、スマートキーレス制御ユニット１は、各ドア７ａ〜７ｄのいずれも開操作されていないと判定すると（ステップｓ２２：ＮＯ）、処理をリターンし、ドア７ａ〜７ｄのいずれかで開操作されたと判定すると（ステップｓ２２：ＹＥＳ）、ステップｓ２３に進み、ドアスイッチ８ａ〜８ｄの検知信号によって、他に開操作された（開状態の）ドアの有無を判定する。
【００６９】
ここで、スマートキーレス制御ユニット１は、他のドアが開操作された（開状態の）ドアがあると判定すれば（ステップｓ２３：ＹＥＳ）、処理をリターンし、再度、ステップｓ２１〜ｓ２３の処理を繰り返す。一方、他のドアが開操作された（開状態の）ドアがないと判定すれば（ステップｓ２３：ＮＯ）、ステップｓ２４に進み、各ＬＦ送信車室内アンテナ３ｅからＬＦ信号を送信させる。
【００７０】
ここで、携帯機２から正規の携帯機識別コードを車室外アンテナ５に送信する応答があった時（ステップｓ２５：ＹＥＳ）、スマートキーレス制御ユニット１は、携帯機２は車室Ｒ内に存在しており、車外へ持ち出されていないと考えられるため、処理をリターンする。
【００７１】
一方、携帯機２から正規の携帯機識別コードを車室外アンテナ５に送信する応答がなかった時（ステップｓ２５：ＮＯ）、ステップｓ２２において開操作された（最後に開閉された）と判定したドアから乗員が携帯機２を所持したまま車外に持ち出したと考えられるため、スマートキーレス制御ユニット１には、開操作されたドア（７ａ〜７ｄ）と音量との関係を予め設定したマップに基づいて、スマートキーレス制御ユニット１は、最後に開操作が検出されたドア（７ａ〜７ｄ）に応じた音量を選択し（ステップｓ２６）、この音量に対応する制御信号をブザー音量変更制御回路１０に送信して警報ブザー９を吹鳴させる（ステップｓ２７）。
【００７２】
このように、最後に開操作されたドアに基づいて上記持ち出し位置を判定することにより、車室Ｒ内に携帯機２が存在していなければ、最後に開操作したドアの位置を持ち出し位置であると間接的に判定することができる。これにより、上述した実施形態のように、車外のスマートキーレスＬＦ送信アンテナ７ａ〜７ｄにＬＦ信号を順次送信するといった切換え制御が不要となって制御が簡素化されるとともに、ＬＦ信号を順次送信する動作を省略できる分、持ち出し位置の判定に要する時間を削減することができる。従って、持ち出し者が警報音を聞き取ることができない程距離が離れてしまう前に、確実に持ち出し者に対して警報を行うことができる。
【００７３】
ところで、上述した各実施形態においては、上記持ち出し位置が、警報ブザー９の設置位置から離れている場合に音量を大きくし、警報ブザー９の設置位置に近い場合に音量を小さくするようにしているが、本発明においては、必ずしもこれに限定されない。例えば、車室Ｒ内に乗員が残っている場合、上記持ち出し位置と上記乗員の位置とに基づいて音量を選択するようにしてもよい。
【００７４】
図５は、さらに別の実施形態に係る車載機を搭載した車両Ｘの概略図である。図５においては、乗員の有無を検出する着座センサ１５ａ〜１５ｄが適宜の位置に設けられており、乗員の位置が検出可能となっている。
【００７５】
以下、スマートキーレス制御ユニット１により実行される警報ブザー９の警報音量変更制御のさらに別の実施形態について、図６のフローチャートを参照しながら説明する。
【００７６】
図６に示すフローチャートにおけるステップｓ３１〜ｓ３６は、図３に示すフローチャートのステップｓ１〜ｓ６にそれぞれ対応する。本実施形態に係る警報音量変更制御では、ステップｓ３６において、携帯機２からの携帯機識別コードを車室外アンテナ５に送信する応答があった時（ステップｓ３６：ＹＥＳ）、ステップｓ３７に進み、着座センサ１５ａ〜１５ｄにより検出された車室Ｒ内の乗員の位置と、携帯機２からの応答を得ることがきた車外のスマートキーレスＬＦ送信アンテナ（３ａ〜３ｄ）により検出された持ち出し位置との位置関係を判定する。
ここで、上記持ち出し位置が、警報ブザー９に最も近い乗員の位置よりも離れている場合（ステップｓ３７：ＹＥＳ）、上記乗員の位置に応じて予め設定したマップに基づき音量を選択する（ステップｓ３８）。このマップは、乗員の位置が警報ブザー９の設置位置から離れている場合に音量を大きくし、警報ブザー９の設置位置に近い場合に音量を小さくするような設定となっている。
【００７７】
一方、車室Ｒ内の乗員が検出できなかったか、上記持ち出し位置が、警報ブザー９に最も近い乗員の位置よりも近い場合（ステップｓ３７：ＮＯ）、図３のフローチャートのステップｓ７と同様に、上記持ち出し位置が、警報ブザー９の設置位置から離れている場合に音量を大きくし、警報ブザー９の設置位置に近い場合に音量を小さくする（ステップｓ３９）。
【００７８】
また、携帯機２からの携帯機識別コードを車室外アンテナ５に送信する応答がなかった時は（ステップｓ３６：ＮＯ）、図３のフローチャートのステップｓ８と同様に、念のため、警報ブザー９から発することのできる最大音量を選択する（ステップｓ４０）。
【００７９】
そして、スマートキーレス制御ユニット１は、上述したステップｓ３８〜ｓ４０において選択した音量に対応する制御信号をブザー音量変更制御回路１０に送信し、警報ブザーを吹鳴させる（ステップｓ４１）。
【００８０】
上述したステップｓ３８においては、上記持ち出し位置が離れていても小さい音量が選択される場合がある。例えば、着座センサ１５ａにより、運転者が車室Ｒ内に残っている状態が検出され、ステップｓ３７における携帯機２からの応答が、車外後席用左アンテナ３ｄのＬＦ信号によるものであった時、少なくとも運転者に警報を行うことで、運転者から持ち出し者に対して口頭または合図で持ち出しの事実を知らせることができる。よって、この場合、警報性を維持しつつも、運転者の位置に応じた小さい音量の警報音とすることができる。
【００８１】
このように、車室Ｒ内に乗員が残っている場合、上記持ち出し位置、車室Ｒ内に残された乗員の位置の中で、警報ブザー９の設置位置に最も近いものに応じて音量を選択することにより、警報性を維持しつつも、警報音の音量を必要最小限にとどめることができるため、車室Ｒ内に残された乗員への威圧感、不快感をより軽減することができる。
【００８２】
なお、図６に示すフローチャートでは、図３に示すフローチャートと同様、スマートキーレスＬＦ送信アンテナ３ａ〜３ｄと車室外アンテナ５との通信状態に基づいて上記持ち出し位置を判定するようになっているが、図４に示すフローチャートのように、最後に開閉されたドアを特定して、間接的に上記持ち出し位置を判定するようにしてもよい。
【００８３】
ここで、上述したような警報音量変更制御は、図２、図５に示すように、警報ブザー９が車室Ｒ前側の左右一方に設けられている場合に特に好適である。警報ブザー９が実際に車両Ｘに設置される場合、他の車載部品の配置等が優先され、警報ブザー９の設置位置が車室Ｒ前側の左右一方に限定される場合がある。この場合、警報ブザー９が車両Ｘの略中央に設置される場合に比べ、左右で警報音の聞こえ方（音圧）に偏りが生じる可能性があるが、上述の警報音量変更制御により、車両Ｘの左右で音量を最適に制御することができるため、警報音の聞こえ方（音圧）に偏りが生じることを抑制できる。
【００８４】
また、上述したように、スマートキーレス制御ユニット１が、警報ブザー９から発せられる警報音に関連する出力量として音量を制御することにより、警報ブザー９の警報音が聞き取りにくい位置であっても、音量を適宜変化させることで持ち出し者の聴覚を確実に刺激することができ、警報性を維持することができる。
【００８５】
但し、本発明においては、警報音に関連する出力量を音量とすることには必ずしも限定されない。例えば、警報音の周波数（単位Ｈｚ）を変化させるようにしてもよい。警報音の周波数を変化させる場合、その周波数が高くなれば、持ち出し者の聴覚にある程度の刺激を与えることができ、警報性を確保できる。
【００８６】
また、他の形態として、警報音を発する時間を変化させるようにしてもよい。警報音の時間を変化させる場合、持ち出し者の位置が警報ブザー９に近接していれば、ごく短時間の瞬間的な警報音であっても、持ち出し者はこれを聞き取ることができ、逆に、持ち出し者の位置が警報ブザー９から離れていれば、長時間警報音を発し続けることでこれを聞き取らせる確率を高めることができる。
【００８７】
また、上述した各実施形態においては、持ち出し位置となる位置を４つのドア７ａ〜７ｄとしているが、例えば、ワゴン型車両やハッチバック型車両のような、後部にリヤゲート等を設けた車両において、車室Ｒ内側からこれを開操作できるものであれば、これを第５のドアとして、これに対応するスマートキーレスＬＦ送信アンテナ、またはドアスイッチを設けるようにしてもよい。
【００８８】
この発明の構成と、上述の実施形態との対応において、
この発明のエンジン始動手段は、イグニッションスタータ１３に対応し、
以下同様に、
警報手段は、警報ブザー９に対応し、
持ち出し位置検出手段は、ステップｓ５、ｓ６、ステップｓ２２〜ｓ２５、ステップｓ３５、ｓ３６を実行するスマートキーレス制御ユニット１、スマートキーレスＬＦ送信アンテナ３ａ〜３ｄ、ドアスイッチ８ａ〜８ｄに対応し、
警報音変更手段は、ステップｓ７、ｓ８、ステップｓ２６、ステップｓ３７〜ｓ４０を実行するスマートキーレス制御ユニット１、ブザー音量変更制御回路１０に対応し、
乗員位置検出手段は、着座センサ１５ａ〜１５ｄに対応するも、
この発明は、上述の実施形態の構成のみに限定されるものではなく、多くの実施の形態を得ることができる。
【図面の簡単な説明】
【００８９】
【図１】本発明の実施形態に係る車両のスマートキーレス装置の構成を示すブロック図。
【図２】車載機を搭載した車両の概略図。
【図３】スマートキーレス制御ユニットにより実行される警報ブザーの警報音量変更制御を示すフローチャート。
【図４】本発明の別の実施形態に係るスマートキーレス制御ユニットにより実行される警報ブザーの警報音量変更制御を示すフローチャート。
【図５】本発明のさらに別の実施形態に係る車載機を搭載した車両の概略図。
【図６】本発明のさらに別の実施形態に係るスマートキーレス制御ユニットにより実行される警報ブザーの警報音量変更制御を示すフローチャート。
【符号の説明】
【００９０】
１…スマートキーレス制御ユニット
２…携帯機
３ａ、３ｂ、３ｃ、３ｄ、３ｅ…スマートキーレスＬＦ送信アンテナ
７ａ、７ｂ、７ｃ、７ｄ…ドア
８ａ、８ｂ、８ｃ、８ｄ、８ｅ…ドアスイッチ
９…警報ブザー
１０…ブザー音量変更制御回路
１３…イグニッションスタータ
１５ａ、１５ｂ、１５ｃ…着座センサ
Ｒ…車室
Ｘ…車両
【図１】
2008106579.tif 000003
【図２】
2008106579.tif 000004
【図３】
2008106579.tif 000005
【図４】
2008106579.tif 000006
【図５】
2008106579.tif 000007
【図６】
2008106579.tif 000008